(57)【特許請求の範囲】
【請求項１】
管状部を有するカテーテルの出入口に装着される磁気キャップであって、接続プラグ本体の上面に環状磁石を固定し、該本体に接離自在に取り付けられた蓋体の上面に円板状磁石を固定し、該蓋体の一端にループ形状の引きひもを取り付け、両磁石の直径を５〜１５ｍｍ、厚みを０．５〜５．０ｍｍに設定し、その磁束密度を１５００〜２０００ガウスに設定し、両磁石の接触面の磁極を互いに逆に設置した人体留置医療器具用磁気キャップ。
【請求項２】
前記蓋体上面に固定した円板状磁石の上面の中央に可撓性材料からなる円板状シール材を取り付けたことを特徴とした請求項１記載の人体留置医療器具用磁気キャップ。
【発明の詳細な説明】
【０００１】
【産業上の利用分野】
本発明は、人体留置医療器具（例えば、尿道カテーテル等）の外部開閉弁として機能する磁気キャップに関するものである。
【０００２】
【従来の技術】
従来から人体留置医療器具の使用例としては下記のものがある。
【０００３】
女性の尿失禁排尿障害は外性器の解剖学的理由から尿管理が難しい例が多い。排尿障害例に対しては、薬物療法（ウブレチッド、αブロッカー等）間欠自己導尿法が、現在広く行われている。また、尿失禁患者には薬物療法（抗コリン剤、イミプラミン、塩酸エフェドリン、α作動薬等）、バルンカテーテル留置法、骨盤底筋訓練法、間欠自己導尿法、尿集器、種々のおむつ排尿法等が考案され、それなりの成果を上げている。
【０００４】
一方、脳血管障害者、脊髄損傷者では薬物の反応が不十分、手の巧緻性が不良でカテーテル等の操作が十分できないため適応から外れる症例も多い。特に女性で中等度以上の片麻痺患者、上位脊髄損傷患者（第７頚髄以上の損傷）では選択可能な排尿管理方法として膀胱瘻、おむつ排尿しかないのが現状である。
【０００５】
【発明が解決しようとする課題】
本発明が解決しようとする課題は、例えば、女性で、残尿を有する排尿困難例、または膀胱瘻またはおむつ排尿を行っている尿失禁例で、なおかつ手の巧緻性が不良な症例でも簡単に、尿の排泄および蓄尿等の操作が可能な人体留置医療器具用磁気キャップを提供することにある。
【０００６】
【課題を解決するための手段】
本発明の人体留置医療器具用磁気キャップは、接続プラグ本体の上面に環状磁石を固定し、該本体に接離自在に取り付けられた蓋体の上面に円板状磁石を固定し、該蓋体の一端に引きひもを取り付け、両磁石の直径を５〜１５ｍｍ、厚みを０．５〜５．０ｍｍに設定し、その磁束密度を１５００〜２０００ガウスに設定し、両磁石の接触面の磁極を互いに逆に設置した手段によって、上記課題を解決している。
蓋体上面に固定した円板状磁石の上面の中央に可撓性材料からなる円板状シール材を取り付けることが好ましい。シール材の外径は環状磁石の内径よりも少し大きい方が好ましい。
【０００７】
【作用】
本発明の人体留置医療器具用磁気キャップにおいては、手の巧緻性が不良の患者でも、引ひもを手の指または掌に引っ掛けて両磁石を近付ければ、磁石相互の吸引作用によって正確に所定位置に吸着する。
蓋体上面に固定した円板状磁石の上面中央に取り付けた可撓性円板状シール材が、接続プラグ本体の環状磁石の内径上縁に接触し、気密および液密封止を向上させる。また、両磁石の相互結合のさいの案内としても作用する。
【０００８】
両磁石の磁束密度を１５００〜２０００ガウスに設定してあるので、両磁石の相互吸着力は相当に強固であり、キャップ着用中に自然に外れるようなことはない。しかし、患者がキャップを開きたいときには、キャップ閉鎖動作と同様に引きひもを手の指または掌に引っ掛けて、容易に開くことができる。
【０００９】
接続プラグと人体留置医療器具の出入口とは着脱自在に接続できるので、同一種類または異種類の器具に広く使用できる。
【００１０】
両磁石の直径５〜１５ｍｍ、厚み０．５〜５．０ｍｍに設定してあるので、比較的小寸法であるから、着用時にキャップ自体の異物感を生じない。
【００１１】
【実施例】
図１−３を参照して、本発明の人体留置医療器具用磁気キャップ１０の実施例について説明する。
【００１２】
本発明の人体留置医療器具用磁気キャップ１０は、図１、２に示すように、接続プラグ本体１の上面に環状磁石２を固定し、本体１に可撓性帯６によって接離自在に取り付けられた蓋体３の上面に円板状磁石４を固定し、蓋体３の一端に引きひもを取り付けた構成になっている。
【００１３】
両磁石２、４の直径を５〜１５ｍｍ、厚みを０．５〜５．０ｍｍに設定し、その磁束密度を１５００〜２０００ガウスに設定し、両磁石の接触面の磁極を互いに逆に設置する。図示例では、環状磁石２の上面をＳ極にし、下面をＮ極にし、また、円板状磁石４の上面をＮ極にし、下面をＳ極にしている。
【００１４】
図１、２に示すように、磁気キャップ１０を開いている状態においては、環状磁石２が接続プラグ本体１の通路１１を開放し、また、円板状磁石４も本体１から遠く離れている。
【００１５】
次いで、図３（Ａ）に示すように、磁気キャップ１０を閉じた状態においては、両磁石２、４が互いに接触し、磁力によって吸着を接続する。両磁石２、４が接触する直前においては、図３（Ｂ）に示すように、互いの吸引力によって、両磁石２、４の中心軸が自然にほぼ一致した後に接触する。
【００１６】
磁石２、４のうちのいずれか一方を鉄材にした場合には、互いに接近した位置で即座に接触してしまい、中心軸ずれの自然調整は行われない。
【００１７】
磁気キャップ１０が、図３（Ａ）に示すように閉じられているときには、接続プラグ本体１の通路１１を円板状磁石４が封鎖している。
【００１８】
磁気キャップ１０は、例えば図４（Ａ）、（Ｂ）に示すようにして使用される。（Ａ）図は通常の尿道バルーンカテーテル２０の外部排出口に磁気キャップ１０が装着された例を示す。（Ｂ）図は通常のマレコット・カテーテル３０に磁気キャップ１０が装着された例を示す。
【００１９】
図１−４に示す接続プラグ本体１の例では、相手方の接続口内に装着されているが、図５に示す磁気キャップ１０ａではプラグ本体１ａが接続口の外側に装着される構造になっている。
【００２０】
図６−８は、図１−３に示す磁気キャップの変更例を示す。この変更例では、図６−８に示すように、蓋体３の上面に固定した円板状磁石４の上面の中央に可撓性材料（例えば、シリコンゴム、ポリエチレン等）からなる円板状シール材７が取り付けられている。シール材７の外径は環状磁石２の内径よりも少し大きく設定することが好ましい。
【００２１】
両磁石２、４が吸引結合したさい、円板状磁石４上のシール材７が環状磁石２の内径上縁に接触し（図８の（Ａ））、磁気キャップ１０の気密および液密封止を向上させることができる。また、両磁石２、４の相互結合さいの案内としても作用する。
【００２２】
本変更例の磁気キャップにおいても、図４（Ａ）、（Ｂ）および図５に示す使用例が適用される。
【００２３】
本発明の磁気キャップが装着されうる医療器具、特にマレコット・カテーテルを装着できる患者は、次の症例に限られる。
（１）尿意があることが望ましい。痴呆例は不適応。
（２）指先を外陰部にもって行けること。
（３）膀胱容量が１５０ｍｌ以上あること。
（４）開脚、坐位バランスが良好であること。
（５）外尿道口が奥であるか、強い膣萎縮のある患者は不適。
（６）バルンカテーテル留置症例で、カテーテルの邪魔な症例にも適。
（７）入浴可。
（８）巧緻性の障害、排尿障害、蓄尿障害いずれの障害にも適応。
（９）トイレにて自然排尿に準じた形で行え、精神的にも患者の受け入れが良い。
【００２４】
【発明の効果】
本発明の磁気キャップは広範囲の人体留置医療器具に使用でき、開閉操作が簡単で、封止機能も優れている。また、構造が簡単であるから安価である。
【図面の簡単な説明】
【図１】  本発明の磁気キャップの縦断面図である。
【図２】  図１の平面図である。
【図３】  図１の磁気キャップの閉鎖状態を示す縦断面図である。
【図４】  本発明の磁気キャップの使用例の側面図である。
【図５】  本発明の磁気キャップの変更例を示す縦断面図である。
【図６】  本発明の磁気キャップの変更例の縦断面図である。
【図７】  図６の平面図である。
【図８】  図６の磁気キャップノ閉鎖状態を示す縦断面図である。
【符号の説明】
１─接続プラグ本体
２─環状磁石
３─蓋体
４─円板状磁石
５─引きひも
６─可撓性帯
７─シール材
１０─磁気キャップ
２０─尿道バルーン・カテーテル
３０─マレコット・カテーテル
【図１】
0003781803.tif 000002
【図２】
0003781803.tif 000003
【図３】
0003781803.tif 000004
【図４】
0003781803.tif 000005
【図５】
0003781803.tif 000006
【図６】
0003781803.tif 000007
【図７】
0003781803.tif 000008
【図８】
0003781803.tif 000009